(57)【要約】【課題】ねじ込みおよび調整作業が簡単であり、かつ、生産コストを低減させることができるコントロールケーブル装置を提供する。【解決手段】アウターケーシングおよび該アウターケーシング内に軸方向移動可能に挿通されたインナーケーブルからなるコントロールケーブルと、該コントロールケーブルを支持するブラケットの端面からインナーケーブルの端部までの長さを調整する調整機構とを備えるコントロールケーブル装置であって、前記調整機構が、アウターケーシングの一端部にかしめられる連結金具と、該連結金具に回動自在に取り付けられる、多角部、雄ネジ部および該多角部と雄ネジ部とのあいだに形成される連結部からなるスクリューと、該スクリューの連結部に回動自在に嵌着される係止爪、前記多角部の外周面に対向して配置される弾性突起部および回転を制止するストッパーを有する調整部とからなる。【選択図】図１
2005098397.tif 000002
【特許請求の範囲】
【請求項１】
アウターケーシングおよび該アウターケーシング内に軸方向移動可能に挿通されたインナーケーブルからなるコントロールケーブルと、該コントロールケーブルを支持するブラケットの端面からインナーケーブルの端部までの長さを調整する調整機構とを備えるコントロールケーブル装置であって、前記調整機構が、アウターケーシングの一端部にかしめられる連結金具と、該連結金具に回動自在に取り付けられる、多角部、雄ネジ部および該多角部と雄ネジ部とのあいだに形成される連結部からなるスクリューと、該スクリューの連結部に回動自在に嵌着される係止爪、前記多角部の外周面に対向して配置される弾性突起部および回転を制止するストッパーを有する調整部とからなることを特徴とするコントロールケーブル装置。
【発明の詳細な説明】
【技術分野】
【０００１】
本発明はコントロールケーブル装置に関する。さらに詳しくは、車両や重機などの操作レバーや操作ペダルなどに用いられるコントロールケーブル装置に関する。
【背景技術】
【０００２】
一般に、コントロールケーブルを操作部と伝達部とのあいだに配設して連結する場合、前記コントロールケーブルの所定の部位を車体などの静止体に固定されるブラケットに支持するようにしている。かかるコントロールケーブルは、相手側部材の寸法およびケーブル長さのばらつきを吸収し、相対的に最適な長さを均一にする必要から、図９に示されるように、ブラケット１０１の端面からインナーケーブル１０２の端部までの長さＬを調整する調整機構１０３を備えている。この調整機構は、たとえばアウターケーシング１０４の一端部にかしめ付けられた連結金具１０５と、該連結金具１０５に回動自在に取り付けられるスクリュー１０６と、該スクリュー１０６に螺合する固定ナット１０７とから構成されている。かかる調整機構１０３を備えるコントロールケーブル装置は、スクリュー１０６をブラケット１０１に螺着したのち、固定ナット１０７をブラケット１０１側に締め付けて、支持されている。
【０００３】
しかし、このコントロールケーブルの調整機構１０３では、長さ調整のために固定ナット１０７をスパナなどの専用工具によりブラケット１０１にトルク締めする必要があるため、狭い場所での調整作業が難しく、時間が掛かるという問題がある。また、再調整時には再度専用工具にて固定ナット１０７を弛めてからではないと、調整作業ができないため、微調整の作業が非常に面倒であるという問題もある。
【０００４】
かかる従来のコントロールケーブルに対し、素手で回動してコントロールケーブルの位置決めを行ない得るようにした位置決め微調整装置を備えるコントロールケーブルがある（たとえば特許文献１参照）。この位置決め微調整装置は、ネジ面を有する管状金具と、該ネジ面に螺合する、一端面に放射状溝を有するメネジと、一辺にインナケーブルの径より大きな幅の溝を設け、中央に前記管状金具のネジ面に設けた係止溝に係合する突部を備えた管状金具差込み孔を設けるとともに、該差込み孔の外周辺部の１ヵ所にメネジ止め用の係合突起を設けたブラケットとから構成されている。かかる位置決め微調整装置を用いた調整作業は、前記ブラケットの管状部材差込み孔に、メネジの向きを放射状溝と係合突起とが接合する向きに設けた管状金具をネジ面の係止溝に突部を係合して差し込んだのち、コントロールケーブルの一端に設けられたスプリングの作用により、メネジの放射状溝をブラケットの係合突起に押圧して係止させ、ついで素手でメネジを回転させることにより行なうようにしている。
【０００５】
前記位置決め微調整装置では、コントロールケーブルの位置決めを素手で簡単に行なうことができる。しかしながら、通常ブラケットは製造元において車体などに予め固着されているので、該ブラケットに溝、突起および係合突起を加工するのは困難であり、仮に加工済のブラケットを製造元に供給する場合でも、加工コストが高くつく。また、位置決めにスプリングが必要であるため、その分部品点数が多くなり、部品コストが高くつく。
【０００６】
【特許文献１】実開平５−１２７３４号公報
【発明の開示】
【発明が解決しようとする課題】
【０００７】
本発明は、叙上の事情に鑑み、ねじ込みおよび調整作業が簡単であり、かつ、生産コストを低減させることができるコントロールケーブル装置を提供することを目的とする。
【課題を解決するための手段】
【０００８】
本発明のコントロールケーブル装置は、アウターケーシングおよび該アウターケーシング内に軸方向移動可能に挿通されたインナーケーブルからなるコントロールケーブルと、該コントロールケーブルを支持するブラケットの端面からインナーケーブルの端部までの長さを調整する調整機構とを備えるコントロールケーブル装置であって、前記調整機構が、アウターケーシングの一端部にかしめられる連結金具と、該連結金具に回動自在に取り付けられる、多角部、雄ネジ部および該多角部と雄ネジ部とのあいだに形成される連結部からなるスクリューと、該スクリューの連結部に回動自在に嵌着される係止爪、前記多角部の外周面に対向して配置される弾性突起部および回転を制止するストッパーを有する調整部とからなることを特徴とする。
【発明の効果】
【０００９】
本発明によれば、ねじ込みおよび調整作業が簡単であり、かつ、生産コストを低減させることができる。
【発明を実施するための最良の形態】
【００１０】
以下、添付図面に基づいて本発明のコントロールケーブル装置を説明する。
【００１１】
図１〜８に示すように、本発明の一実施の形態にかかわるコントロールケーブル装置は、コントロールケーブル１およびブラケット２の端面からインナーケーブル３の端部までの長さＬを調整する調整機構４から構成されている。
【００１２】
前記コントロールケーブル１は、アウターケーシング５と該アウターケーシング５内に軸方向移動可能に挿通されたインナーケーブル３とからなるとともに、該インナーケーブル３の両端部には、操作部と伝達部に連結するための連結具（図示せず）を備えている。
【００１３】
前記調整機構４は、連結金具６、スクリュー７および調整部８から構成されている。該連結金具６は、円筒形状を呈しており、前記アウターケーシング５の一端部に装着したのち、かしめ加工によりアウターケーシング５と一体にされている。また、この連結金具６の外周には、環状凹部９が形成されており、前記スクリュー７の一端部に挿入されたのち、該端部の外周部を少なくとも２ヵ所、本実施の形態では、６ヵ所かしめ加工して当該かしめ部１０を前記環状凹部９に嵌め込むようにされている。このかしめ部１０により、前記スクリュー７は連結金具６に回動自在に取り付けられる。前記スクリュー７は、円筒形状を呈しており、多角部１１と、ブラケット２のメネジ部１２に螺着される雄ネジ部１３と、該多角部１１と雄ネジ部１３とのあいだに形成される連結部１４とから構成されている。前記多角部１１の外径形状は、指で多角部１１、すなわちスクリュー７を回動して、長さ調整ができるように多角形にされており、本実施の形態では、六角形が採用されている。また、前記連結部１４には、雄ネジ部１３の盗み部１５と後述する係止爪１９を係合させる環状溝１６とが形成されている。
【００１４】
前記調整部８は、垂直部１７に開口１７ａを有するＬ字状の本体１８、係止爪１９および弾性突起部２０から構成されており、たとえばナイロンなどの合成樹脂で作製されている。前記係止爪１９は、本体１８から前記連結部１４の軸方向に突出しており、前記環状溝１６に回動自在に嵌着される。この係止爪１９の形状および個数は、適宜選定することができる。たとえば本実施の形態では、係止爪１９の形状として、かぎ爪が採用されており、係止爪１９の個数が前記弾性突起部２０を除いて周方向に均等に配置するために４個にされている。また、前記弾性突起部２０は、本体１８から前記連結部１４の軸方向に突出しており、前記多角部１１の外周面（六角対辺）２１に対向して配置される。また、前記本体１８はＬ字状を呈しており、水平方向に突出するストッパー２２が前記ブラケット２に対して回転を制止する働きをしている。なお、本実施の形態では、ストッパー２２がブラケット２の下面側に延びているが、本発明においては、これに限定されるものではなく、たとえばブラケット２の側面側に延びるようにすることもできる。
【００１５】
本実施の形態では、図１に示されるように、調整機構４を組み付けたコントロールケーブル１をブラケット２に支持させる場合、まずインナーケーブル３をブラケット２のメネジ部１２に挿通させたのち、雄ネジ部１３を該メネジ部１２に合わせる。ついでスクリュー７の多角部１１を片指でつかんだのち、回転させると、図８（ａ）に示されるように、多角部１１の角部２３が弾性突起部２０を径方向に押し上げながら撓ませる。そして、さらにスクリュー７を回転させると、図８（ｂ）に示されるように、再度弾性突起部２０が多角部１１の六角対辺２１に対向して配置する。こうしてスクリュー７を１回転させることにより、スクリュー７が１ピッチ分回転して、前記雄ネジ部１３とメネジ部１２が噛み合う。そして、引き続きスクリュー７を回転させることにより、コントロールケーブル１をブラケット２に支持させることができる。前記インナーケーブル３の長さ調整に際しては、前述と同様に手の操作によりスクリュー７を正転または逆転させて微調整することができる。
【００１６】
また、本実施の形態では、前記ストッパー２２がブラケット２に制止しているため、スクリュー７と弾性突起部２０の供回りが防止され、片手でスクリュー７のねじ込み（締め付け）やインナーケーブル３の長さ調整を行なうことができる。
【００１７】
このように、本実施の形態では、工具を用いることなく、手でねじ込みや長さ調整を行なうことができるため、熟練者でなくても、作業を簡単かつ正確に行なうことができる。これにより、作業時間が短縮されて、生産コストを低減させることができる。
【図面の簡単な説明】
【００１８】
【図１】本発明の一実施の形態にかかわるコントロールケーブル装置を示す部分断面部である。
【図２】図１の左側面図である。
【図３】図１の右側面図である。
【図４】図１の連結金具にかしめ付ける前のスクリューの部分断面図である。
【図５】図１の調整部の側面図である。
【図６】図１の調整部の平面図である。
【図７】図１の調整部の左側面図である。
【図８】図８（ａ）はスクリューを１／１２（３０度）回転させた状態の図および図８（ｂ）はスクリューを１／６（６０度）回転させた状態の図である。
【図９】従来のコントロールケーブル装置を示す部分断面部である。
【符号の説明】
【００１９】
１    コントロールケーブル
２    ブラケット
３    インナーケーブル
４    調整機構
５    アウターケーシング
６    連結金具
７    スクリュー
８    調整部
９    環状凹部
１０    かしめ部
１１    多角部
１２    メネジ部
１３    雄ネジ部
１４    連結部
１５    盗み部
１６    環状溝
１７    垂直部
１７ａ  開口
１８    本体
１９    係止爪
２０    弾性突起部
２１    外周面（六角対辺）
２２    ストッパー
２３    角部
【図１】
2005098397.tif 000003
【図２】
2005098397.tif 000004
【図３】
2005098397.tif 000005
【図４】
2005098397.tif 000006
【図５】
2005098397.tif 000007
【図６】
2005098397.tif 000008
【図７】
2005098397.tif 000009
【図８】
2005098397.tif 000010
【図９】
2005098397.tif 000011